(57)【要約】【課題】住宅における床の遮音性能をリアルに判り易く、しかも楽しみながら印象深く体験することができるアミューズメント性の高い遮音性能体験装置を提供する。【解決手段】この遮音性能体験装置は、仕様の異なる複数の床３、４を備えた上階室１と、その上階室１の床３、４の直下に配された体験室２とを備え、上階室１に、各床３、４に床衝撃音を発生させる子豚に模した床衝撃音発生装置２０、２１・・と、上階室１の様子を撮影するカメラ４４、４４とを設けるとともに、体験室２に、カメラ４４、４４で撮影した映像を映し出すモニター５１を設けている。そして、ナレーション装置６０によって、上階室１を子豚の部屋、体験室２を親豚の書斎に見立てた豚の家族の家を想定した物語に乗せて、床３、４の遮音性能の違いを説明する。【選択図】図１
2007199354.tif 000002
【特許請求の範囲】
【請求項１】
仕様の異なる複数の床（３）（４）を備えた上階室（１）と、その上階室（１）の床（３）（４）の直下に配された体験室（２）とを備え、前記上階室（１）に、各床（３）（４）に床衝撃音を発生させる子供に模した床衝撃音発生装置（２０）（２１）・・と、前記上階室（１）の様子を撮影するカメラ（４４）（４４）とを設けるとともに、前記体験室（２）に、前記カメラ（４４）（４４）で撮影した映像を映し出すモニター（５１）と、前記上階室（１）を子供部屋、前記体験室（２）を親部屋に見立てた家族の家を想定した物語に乗せて、前記床（３）（４）の遮音性能の違いを説明するナレーション装置（６０）とを設けたことを特徴とする遮音性能体験装置。
【請求項２】
前記床衝撃音発生装置（２０）（２１）・・として、前記子供が床（３）（４）上で飛び跳ねるようにして重量床衝撃音を発生させる重量床衝撃音発生装置（２０）（２０）と、前記子供が床（３）（４）上でスティックを叩くようにして軽量床衝撃音を発生させる軽量床衝撃音発生装置（２１）（２１）とを用いた請求項１記載の遮音性能体験装置。
【請求項３】
前記体験室（２）に、前記ナレーション装置（６０）からのナレーションに合わせて前記床衝撃音発生装置（２０）（２１）・・の作動を制御する制御装置（６７）を設けた請求項１又は２記載の遮音性能体験装置。
【請求項４】
前記体験室（２）に、前記上階室（１）から体験室（２）に伝わる床衝撃音を集める集音マイク（５２）（５２）と、この集音マイク（５２）（５２）で集めた床衝撃音の強さを数値表示する表示計（５３）（５３）とを設けた請求項１乃至３のいずれかに記載の遮音性能体験装置。
【請求項５】
前記上階室（１）に、複数の排水設備（４０）（４０）を設けるとともに、それら排水設備（４０）（４０）からの仕様の異なる排水管（４１）（４２）を前記床（３）を貫通させて前記体験室（２）まで延長し、前記ナレーション装置（６０）は、前記排水管（４１）（４２）の遮音性能の違いも合わせて説明する請求項１乃至４のいずれに記載の遮音性能体験装置。
【請求項６】
請求項１乃至４のいずれかに記載の遮音性能体験装置を使用して、まず体験者を前記上階室（１）に導いてその様子を見てもらった後、続いて体験者を前記体験室（２）へ導いて、前記上階室（１）の様子を前記モニター（５１）に映し出しながら、前記床衝撃音発生装置（２０）（２１）・・によって前記上階室（１）の床（３）（４）に床衝撃音を発生させるとともに、前記ナレーション装置（６０）によって家族の家をイメージさせながら前記床（３）（４）の遮音性能の違いを説明することを特徴とする遮音性能体験方法。
【請求項７】
請求項５記載の遮音性能体験装置を使用して、まず体験者を前記上階室（１）に導いてその様子を見てもらった後、続いて体験者を前記体験室（２）へ導いて、前記上階室（１）の様子を前記モニター（５１）に映し出しながら、前記床衝撃音発生装置（２０）（２１）・・によって前記上階室（１）の床（３）（４）に床衝撃音を発生させるとともに、前記ナレーション装置（６０）によって家族の家をイメージさせながら前記床（３）（４）の遮音性能の違いを説明し、さらに前記排水管（４１）（４２）を通して排水させて、前記ナレーション装置（６０）によって前記排水管（４１）（４２）の遮音性能の違いを説明することを特徴とする遮音性能体験方法。
【発明の詳細な説明】
【技術分野】
【０００１】
この発明は、住宅における床等の遮音性能をリアルにわかり易く、楽しみながら体験するための遮音性能体験装置及びこれを用いた遮音性能体験方法に関するものである。
【背景技術】
【０００２】
従来より、仕様の異なる床を比較展示して、それらの遮音性能の違いを体験できるようにした各種施設が提案されている。
【０００３】
例えば、特許文献１や特許文献２に開示されている施設では、仕様の異なる複数の床を備えた上階で重量床衝撃音や軽量床衝撃音を実際に発生させて、体験者が下階でその音を聞くことで、仕様の異なる床による遮音性能の違いを体験できるようになっている。
【０００４】
【特許文献１】特開平１１−２１２４４１号公報
【特許文献２】特開２００４−２２６７０５号公報
【発明の開示】
【発明が解決しようとする課題】
【０００５】
しかしながら、上記のような施設においては、実際の床の遮音性能をリアルに体験することはできるものの、それら床における構造上の違いや遮音性能の違いについての具体的な説明は、案内者が口頭で行っているのが現状であり、今一つ面白味に欠け、アミューズメント性に乏しかった。特に、子供連れの体験者の場合には、子供が退屈がってしまって、落ち着いて案内者の説明を聞くことが出来ないこともあった。
【０００６】
そこで、この発明は、上記不具合を解消するため、住宅における床の遮音性能をリアルに判り易く、しかも楽しみながら印象深く体験することができるアミューズメント性の高い遮音性能体験装置及びこれを用いた遮音性能体験方法の提供を目的とするものである。
【課題を解決するための手段】
【０００７】
上記課題を解決するため、この発明の遮音性能体験装置は、仕様の異なる複数の床３、４を備えた上階室１と、その上階室１の床３、４の直下に配された体験室２とを備え、前記上階室１に、各床３、４に床衝撃音を発生させる子供に模した床衝撃音発生装置２０、２１・・と、前記上階室１の様子を撮影するカメラ４４、４４とを設けるとともに、前記体験室２に、前記カメラ４４、４４で撮影した映像を映し出すモニター５１と、前記上階室１を子供部屋、前記体験室２を親部屋に見立てた家族の家を想定した物語に乗せて、前記床３、４の遮音性能の違いを説明するナレーション装置６０を設けたことを特徴とする。
【０００８】
具体的に、前記床衝撃音発生装置２０、２１・・として、前記子供が床３、４上で飛び跳ねるようにして重量床衝撃音を発生させる重量床衝撃音発生装置２０、２０と、前記子供が床３、４上でスティックを叩くようにして軽量床衝撃音を発生させる軽量床衝撃音発生装置２１、２１とを用いている。
【０００９】
また、前記体験室２に、前記ナレーション装置６０からのナレーションに合わせて前記床衝撃音発生装置２０、２１・・の作動を制御する制御装置６７を設けている。
【００１０】
さらに、前記体験室２に、前記上階室１から体験室２に伝わる床衝撃音を集める集音マイク５２、５２と、この集音マイク５２、５２で集めた床衝撃音の強さを数値表示する表示計５３、５３とを設けている。
【００１１】
さらにまた、前記上階室１に、複数の排水設備４０、４０を設けるとともに、それら排水設備４０、４０からの仕様の異なる排水管４１、４２を前記床３を貫通させて前記体験室２まで延長し、前記ナレーション装置６０は、前記排水管４１、４２の遮音性能の違いも合わせて説明するようになっている。
【００１２】
この発明の遮音性能体験方法は、上記の遮音性能体験装置を使用して、まず体験者を前記上階室１に導いてその様子を見てもらった後、続いて体験者を前記体験室２へ導いて、前記上階室１の様子を前記モニター５１に映し出しながら、前記床衝撃音発生装置２０、２１・・によって前記上階室１の床３、４に床衝撃音を発生させるとともに、前記ナレーション装置６０によって家族の家をイメージさせながら前記床３、４の遮音性能の違いを説明することを特徴とする。
【００１３】
さらに、前記排水管４１、４２を通して排水させて、前記ナレーション装置６０によって前記排水管４１、４２の遮音性能の違いを説明するようにしている。
【発明の効果】
【００１４】
この発明によれば、子供に模した床衝撃音発生装置によって上階室の床に床衝撃音を実際に発生させる様子をモニターしながら、従来のような案内者の単なる口頭による説明ではなく、ナレーション装置によって、上階室を子供部屋、体験室を親部屋に見立てた家族の家を想定した物語に乗せて床の遮音性能の違いを説明するので、リアルに判り易く体験できるだけでなく、楽しみながら印象深く体験することができる。また、このようにアミューズメント性を高めることで、子供でも退屈せずに楽しむことができ、子供連れの体験者でも落ち着いて遮音性能の違いを体験することができる。
【００１５】
さらに、床衝撃音発生装置として、子供が床上で飛び跳ねるように見えるものや、子供が床上でスティックを叩くように見えるものを使用することで、アミューズメント性をより一層高めることができる。
【００１６】
また、ナレーション装置からのナレーションに合わせて床衝撃音発生装置を自動的に作動させることで、案内者の操作を軽減して、知識経験がほとんどない案内者でも、適切でスムーズな操作が可能となる。
【００１７】
さらに、上階室から体験室に伝わる床衝撃音を数値表示することで、遮音性能の違いを視覚的に判り易く認識することができ、より効果的に遮音性能の違いを体験することができる。
【００１８】
さらにまた、床の遮音性能の違いだけでなく、排水管の遮音性能の違いも同じ体験室において連続して体験できるようにすることで、住宅の騒音対策についてより幅広く学習することができる。
【発明を実施するための最良の形態】
【００１９】
以下、この発明の実施形態を図面に基づいて詳細に説明する。図１は、この発明の一実施形態に係る遮音性能体験装置を示している。この遮音性能体験装置は、例えば住宅展示場等に設置されるもので、動物の家族の家(具体的には、豚の家族の家)を想定して構築されている。すなわち、動物の子供部屋(具体的には、子豚の部屋)をイメージした上階室１と、その直下に配された動物の親部屋(具体的には、親豚の書斎)をイメージした体験室２とを備えている。
【００２０】
上階室１は、仕様の異なる２種類の床３、４を備えている。すなわち、一方の床３は、鉄骨材５・・上にＡＬＣ板６を敷設して、そのＡＬＣ板６の表面にフローリング材７を貼設してなるコンクリート床となっている。他方の床４は、鉄骨材５・・上に木根太８を設けて、その木根太８の上に構造板９を介してフローリング材７を貼設してなる木造床となっている。これらコンクリート床３と木造床４とが仕切り板１０を介して並設され、この仕切り板１０の床表面部分には目地材１１が設けられている。
【００２１】
また、上階室１には、各床３、４に床衝撃音を発生させる動物の子供(具体的には、子豚)に模した床衝撃音発生装置２０、２１・・が設けられている。この床衝撃音発生装置２０、２１・・としては、重量床衝撃音を発生させる重量床衝撃音発生装置２０、２０と、軽量床衝撃音を発生させる軽量床衝撃音発生装置２１、２１とが用意されており、各床３、４に対して、重量床衝撃音発生装置２０及び軽量床衝撃音発生装置２１がそれぞれ配置されている。
【００２２】
重量床衝撃音発生装置２０は、図２に示すように、基台２２に回転自在に支持された揺動棒２３の一端部を、モータ２４に取り付けられた回転子２５で叩いて、揺動棒２３を揺動させるようになっている。そして、この揺動棒２３の揺動によって、揺動棒２３の他端部に設けたタイヤ２６がフローリング材７の表面に衝撃を与えることで、重量床衝撃音を発生させるようになっている。この重量床衝撃音発生装置２０には、子豚のぬいぐるみ２７が取り付けられていて、モータ２４を作動させることで、あたかも子豚が床３、４上で飛び跳ねているように見える。
【００２３】
軽量床衝撃音発生装置２１は、図３に示すように、基台３０に回転自在に支持されたドラムスティック３１の一端部を、モータ３２に取り付けられた回転子３３で叩いて、ドラムスティック３１を揺動させるようになっている。そして、このドラムスティック３１の揺動によって、ドラムスティック３１の他端部がフローリング材７の表面に衝撃を与えることで、軽量床衝撃音を発生させるようになっている。この軽量床衝撃音発生装置２１には、子豚のぬいぐるみ３４が取り付けられていて、モータ３２を作動させることで、あたかも子豚が床３、４上でドラムスティック３１を叩いているように見える。
【００２４】
さらに、上階室１のコンクリート床３側には、排水設備としての２個の水洗便器４０、４０が設けられ、それら水洗便器４０、４０からの排水管４１、４２が、コンクリート床３を貫通して体験室２に延びるように配管されている。一方の排水管４１は、図示しない遮音シートが巻き付けられた遮音排水管とされており、他方の排水管４２は、そのような遮音シートは巻き付けられていない通常排水管とされている。そして、リモコン操作によって、水洗便器４０、４０に水が供給されて、排水管４１、４２を通して排水がなされるようになっている。
【００２５】
さらにまた、上階室１には、その内部の様子を撮影する２個のカメラ４４、４４が、それぞれの床３、４に対応して配置されている。
【００２６】
体験室２には、体験者が座る椅子４５・・と、カメラ４４、４４で撮影した映像を映し出すモニター５１と、上階室１から体験室２に伝わる重量床衝撃音や軽量床衝撃音を集める２個の集音マイク５２、５２と、この集音マイク５２、５２で集めた重量床衝撃音や軽量床衝撃音の強さを数値表示する２個の表示計５３、５３とを備えている。なお、集音マイク５２、５２及び表示計５３、５３は、上階室１のそれぞれの床３、４に対応して配置されており、一方の集音マイク５２及び表示計５３によって、コンクリート床３からの床衝撃音を集めてその強さを表示し、他方の集音マイク５２及び表示計５３によって、木造床４からの床衝撃音を集めてその強さを表示するようになっている。
【００２７】
また、体験室２には、記録媒体に記録されているナレーションを再生して音声出力するナレーション装置６０が設けられている。このナレーション装置６０によって出力されるナレーションは、上階室１を動物の子供部屋(具体的には、子豚の部屋)、体験室２を動物の親部屋(具体的には、親豚の書斎)に見立てた動物の家族の家(具体的には、豚の家族の家)を想定した物語に乗せて、床３、４の遮音性能の違いを説明するようになっている。
【００２８】
このナレーション装置６０は、タッチパネル式の操作ディスプレイ６５を備えており、この操作ディスプレイ６５を操作することで、ナレーションの再生開始や終了を行うようになっている。なお、なお、図１において、６６はナレーション装置６０のスピーカーを示している。
【００２９】
また、ナレーション装置６０は、図４に示すように、制御装置６７を介して重量床衝撃音発生装置２０、２０及び軽量床衝撃音発生装置２１、２１に電気的に接続されており、制御装置６７がナレーション装置６０からのナレーションに合わせて重量床衝撃音発生装置２０、２０及び軽量床衝撃音発生装置２１、２１の作動を自動的に制御するようになっている。なお、ナレーション装置６０の操作ディスプレイ６５には、操作手順や重量床衝撃音発生装置２０、２０及び軽量床衝撃音発生装置２１、２１による実験状況等も表示されるようになっている。これにより、案内者の知識経験がほとんどなくても、適切でスムーズな案内を行うことができる操作環境が整っている。
【００３０】
次に、上記構成の遮音性能体験装置を使用した遮音性能体験方法について説明する。まず、案内者が体験者を上階室１に誘導してその様子を見てもらった後、続いて体験者を体験室２へ誘導する。
【００３１】
体験室２において、案内者は、体験者に着席を促し、ナレーション装置６０の操作ディスプレイ６５に表示されている指示に従って、案内を開始する。まず操作ディスプレイ６５を操作して、図５(ａ)に示すナレーションの「シーン１」をスピーカー６６から出力させて、豚の家族の家であることをイメージさせる。このとき、上階室１の様子がモニター５１に映し出されている。
【００３２】
「シーン１」が終了すると、自動的にコンクリート床３側の重量床衝撃音発生装置２０が作動して、コンクリート床３において重量床衝撃音を発生させる。このとき、モニター５１には子豚がコンクリート床３上で飛び跳ねている様子が映し出されている。また、上階室１から体験室２に伝わる重量床衝撃音が一方の集音マイク５２によって集められ、その強さが一方の表示計５３に数値表示される。続いて、コンクリート床３側の軽量床衝撃音発生装置２１が作動して、コンクリート床３において軽量床衝撃音を発生させる。このとき、モニター５１には子豚がコンクリート床３上でドラムスティック３１を叩いている様子が映し出されている。また、上階室１から体験室２に伝わる軽量床衝撃音が一方の集音マイク５２によって集められ、その強さが一方の表示計５３に数値表示される。
【００３３】
このようなコンクリート床３での実験が終了すると、操作ディスプレイ６５に新たに表示された指示に従って、操作ディスプレイ６５の操作により図５(ｂ)に示すナレーションの「シーン２」をスピーカー６６から出力させる。
【００３４】
「シーン２」が終了すると、自動的に木造床４側の重量床衝撃音発生装置２０が作動して、木造床４において重量床衝撃音を発生させる。このとき、モニター５１には子豚が木造床４上で飛び跳ねている様子が映し出されている。また、上階室１から体験室２に伝わる重量床衝撃音が他方の集音マイク５２によって集められ、その強さが他方の表示計５３に数値表示される。続いて、木造床４側の軽量床衝撃音発生装置２１が作動して、木造床４において軽量床衝撃音を発生させる。このとき、モニター５１には子豚が木造床４上でドラムスティック３１を叩いている様子が映し出されている。また、上階室１から体験室２に伝わる軽量床衝撃音が他方の集音マイク５２によって集められ、その強さが他方の表示計５３に数値表示される。
【００３５】
このような木造床４での実験が終了すると、操作ディスプレイ６５に新たに表示された指示に従って、操作ディスプレイ６５の操作により図５(ｃ)に示すナレーションの「シーン３」をスピーカー６６から出力させて、コンクリート床３と木造床４の構造上の違いによる遮音性能の違いを説明する。
【００３６】
「シーン３」が終了すると、自動的に上記のようなコンクリート床３での実験が再度行われ、この実験が終了すると、自動的に図５(ｄ)に示すナレーションの「シーン４」がスピーカー６６から出力される。
【００３７】
「シーン４」が終了すると、操作ディスプレイ６５には、通常排水管４２での排水を促す指示が表示され、案内者は、リモコン操作によって水洗便器４０に水を供給して、通常排水管４２を通して排水がなされるようにする。このとき、モニター５１には水洗便器４０に水を供給している様子が映し出されている。
【００３８】
このような排水が終了すると、操作ディスプレイ６５に新たに表示された指示に従って、操作ディスプレイ６５の操作により図５(ｅ)に示すナレーションの「シーン５」をスピーカー６６から出力させる。
【００３９】
「シーン５」が終了すると、操作ディスプレイ６５には、遮音排水管４１での排水を促す指示が表示され、案内者は、リモコン操作によって水洗便器４０に水を供給して、遮音排水管４１を通して排水がなされるようにする。このとき、モニター５１には水洗便器４０に水を供給している様子が映し出されている。
【００４０】
このような排水が終了すると、操作ディスプレイ６５に新たに表示された指示に従って、操作ディスプレイ６５の操作により図５(ｆ)に示すナレーションの「シーン６」をスピーカー６６から出力させて、遮音排水管４１と通常排水管４２の構造上の違いによる遮音性能の違いを説明するとともに、書斎で本を読んでいる様子をイメージづける。
【００４１】
「シーン６」が終了すると、案内者は体験者に退室を促し、案内を終了する。
【００４２】
このように、子豚に模した床衝撃音発生装置２０、２１・・によって実物の床３、４に対して床衝撃音を発生させたり、実物の排水管４１、４２を通して排水させて、その遮音性能の違いを実際に聴き比べるようにするとともに、騒音を具体的な数値によって表示したり、その様子をモニターしながら、豚の家族の家を想定した一編の物語に乗せて遮音性能の違いを説明しているので、住宅における床や排水管の遮音性能の違いを、体験者が五感をフルに使って、リアルにわかり易く、しかも楽しみながら印象深く体験することができる。しかも、このような豚の家族の家を演出したアミューズメント性の高い遮音性能体験装置とすることで、子供でも退屈せずに楽しむことができ、子供連れの体験者でも落ち着いて遮音性能の違いを体験することができる。
【００４３】
この発明は、上記実施形態に限定されるものではなく、この発明の範囲内で上記実施形態に多くの修正及び変更を加え得ることは勿論である。例えば、上記実施形態においては、子豚に模した床衝撃音発生装置を用い、上階室を子豚の部屋、体験室を親豚の部屋に見立てて、全体的に豚の家族の家をイメージさせるようにしていたが、人間や豚以外の動物の家族の家をイメージさせるようにしても良い。
【図面の簡単な説明】
【００４４】
【図１】この発明の一実施形態に係る遮音性能体験装置の全体構成の概略を示す縦断面図である。
【図２】重量床衝撃音発生装置を示す側面図である。
【図３】軽量床衝撃音発生装置を示す側面図である。
【図４】遮音性能体験装置のブロック図である。
【図５】ナレーションを示す図である。
【符号の説明】
【００４５】
１・・上階室、２・・体験室、３、４・・床、２０、２１・・床衝撃音発生装置、４０・・水洗便器、４１、４２・・排水管、４４・・カメラ、５１・・モニター、５２・・集音マイク、５３・・表示計、６０・・ナレーション装置、６７・・制御装置
【図１】
2007199354.tif 000003
【図２】
2007199354.tif 000004
【図３】
2007199354.tif 000005
【図４】
2007199354.tif 000006
【図５】
2007199354.tif 000007